(57)【特許請求の範囲】
【請求項１】
ビニールハウスの出入口にドア本体を左右スライド自在に取付けたドア構造において、
前記ビニールハウスの出入口下方にパイプ状レールを、上方にガイドレールを敷設し、
前記パイプ状レールと前記ガイドレールとの間に左右スライド自在にドア本体を介設し、
前記ドア本体は上辺フレームと左右縦フレームと下辺フレームとにより矩形状に構成し、
前記下辺フレームは、下方開口の断面略コ字状の基枠により構成すると共に、前記基枠にはドア本体に張設するビニールシートの取付が可能なシート装着部を前記基枠と一部材として設けると共に、前記基枠のコ字状の内外側板間には前記パイプ状レール上を転動可能なコロを軸架したことを特徴とするドア構造。
【請求項２】
前記パイプ状レールは円筒形状であり、
前記基枠の内側板は、前記パイプ状レールの下半部まで延設し、
前記基枠の外側板の所定位置には前記内側板に対向するように前記パイプ状レールの側方まで延設した規制板を着脱自在に付設したことを特徴とする請求項１に記載のドア構造。
【請求項３】
前記シート装着部は、前記基枠上面に前記基枠の長手方向に沿って立設したシート取付プレートと該取付プレートの外側面に前記ビニールシート端縁を、別途設けた嵌め込み片を介して嵌着するために一定間隔を保持して突設した上下リブとより構成したことを特徴とする請求項１又は請求項２に記載のドア構造。
【請求項４】
前記出入口上方に敷設した前記ガイドレールは、下方開口の断面コ字状に形成し、
コ字状の内部に前記ドア本体の前記上辺フレームの上縁部をスライド自在に収納すると共に、前記上辺フレームの上面に直径が前記上辺フレームの幅員より大とした水平回動の上ローラを軸架し、
前記上辺フレームのスライド時に前記上ローラが前記ガイドレール内側壁と当接摺動して転動することにより前記上辺フレームの前記上縁部が前記ガイドレール内側壁に当接しないように構成したことを特徴とする請求項１乃至３のいずれか１項に記載のドア構造。
【請求項５】
前記ビニールハウスの前記出入口下方に前記パイプ状レールを敷設するに際して、前記出入口の左右に立設した左右縦柱に、スペーサ用取付基枠を介してブラケット板を立設した取付金具を配設し、前記ブラケット板の上部に前記パイプ状レールに囲繞装着した取付環体の合わせ片を挟着固定したことを特徴とする請求項１乃至４のいずれか１項に記載のドア構造。
【請求項６】
前記取付金具の前記スペーサ用取付基枠は断面矩形または断面コ字状の一定長さに形成し、前後壁の一方または両方に締付用ボルトを挿貫するための挿貫孔を穿設したことを特徴とする請求項５に記載のドア構造。
【請求項７】
前記取付金具の前記スペーサ用取付基枠は複数の前記挿貫孔を穿設し、前記締付用ボルトの挿貫位置を変位することにより前記左右縦柱に取付ける前記スペーサ用取付基枠の左右位置を調節自在としたことを特徴とする請求項６に記載のドア構造。
【請求項８】
前記取付金具の前記ブラケット板の上部に前記合わせ片を介して前記パイプ状レールに囲繞装着する前記取付環体の取付位置は、前記ブラケット板の上部左右位置とすると共に、前記ブラケット板の前記上部左右位置に穿設した取付孔と同取付孔を挿貫して前記合わせ片と前記ブラケット板とを一体重合して固定するためのボルトとにより前記取付環体を前記ブラケット板に固定するように構成したことを特徴とする請求項５乃至７のいずれか１項に記載のドア構造。
【発明の詳細な説明】
【技術分野】
【０００１】
本発明は、ビニールハウスの出入口にドア本体を左右スライド自在に取付けたドア構造に関する。
【背景技術】
【０００２】
従来、骨組みした骨組材にビニールシートを被覆止着して構成したビニールハウスにおいては、ハウスの妻面に形成した出入口に左右引戸タイプのドア本体を開閉自在に設けている（例えば、特許文献１を参照。）。
【０００３】
特許文献１におけるドア本体は、方形枠状に構成されており、ドア枠の下端部に別途の下部フレームを連設し、下部フレームの内部において戸車を軸架している。そして、出入口の下縁にレール受け（取付金具）を介して横断面略ハット形状の下レールを敷設して、下レール上に戸車を介してスライド可能として出入口の開閉を行うことができるようになっている。
【先行技術文献】
【特許文献】
【０００４】
【特許文献１】特開平１１−２４３７９０号公報
【発明の概要】
【発明が解決しようとする課題】
【０００５】
上記特許文献１では、下レール上に戸車を介してドア本体をスライド可能とするために、内部に戸車を軸架した下部フレームを別途設けてドア枠の下端部に連設しなければならず、これらの間には間隙が生じるため、ビニールハウス内の空気がこの間隙を通って放出されたり、逆に、ビニールハウス内に外気が取り込まれてしまうことで温度管理されたビニールハウス内の温度環境が変動してしまう可能性があった。
【０００６】
また、ドア枠以外に下部フレームを別途設ける必要があるため部品数が増加しコスト面で不利であると共に、部品数の増加によりビニールハウスの組立性も充分ではなかった。
【０００７】
また、かかる構成とした場合、ドア枠の下端部または下部フレームのいずれかにドア本体に張設するビニールシートの取付が可能なシート装着部を別途設ける必要があり、更に部品数が増加するためコスト面や組立性の面で不利であった。
【０００８】
本発明は、以上のような事情に鑑みてなされたものであり、ビニールハウスの出入口にドア本体を左右スライド自在に取付けたドア構造において、ビニールハウス内の温度環境の安定化を図ると共に、部品数を減らすことでコストを廉価に抑えつつ組立作業性を向上させたドア構造を提供することにある。
【課題を解決するための手段】
【０００９】
以上のような目的を達成するために、本発明は以下のようなものを提供する。
【００１０】
請求項１に係る発明は、ビニールハウスの出入口にドア本体を左右スライド自在に取付けたドア構造において、前記ビニールハウスの出入口下方にパイプ状レールを、上方にガイドレールを敷設し、前記パイプ状レールと前記ガイドレールとの間に左右スライド自在にドア本体を介設し、前記ドア本体は上辺フレームと左右縦フレームと下辺フレームとにより矩形状に構成し、前記下辺フレームは、下方開口の断面略コ字状の基枠により構成すると共に、前記基枠にはドア本体に張設するビニールシートの取付が可能なシート装着部を前記基枠と一部材として設けると共に、前記基枠のコ字状の内外側板間には前記パイプ状レール上を転動可能なコロを軸架したものである。
【００１１】
請求項２に係る発明は、前記ドア構造において、前記パイプ状レールは円筒形状であり、前記基枠の内側板は、前記パイプ状レールの下半部まで延設し、前記基枠の外側板の所定位置には前記内側板に対向するように前記パイプ状レールの側方まで延設した規制板を着脱自在に付設したものである。
【００１４】
請求項３に係る発明は、前記ドア構造において、前記シート装着部は、前記基枠上面に前記基枠の長手方向に沿って立設したシート取付プレートと該取付プレートの外側面に前記ビニールシート端縁を、別途設けた嵌め込み片を介して嵌着するために一定間隔を保持して突設した上下リブとより構成したものである。
【００１５】
請求項４に係る発明は、前記ドア構造において、前記出入口上方に敷設した前記ガイドレールは、下方開口の断面コ字状に形成し、コ字状の内部に前記ドア本体の前記上辺フレームの上縁部をスライド自在に収納すると共に、前記上辺フレームの上面に直径が前記上辺フレームの幅員より大とした水平回動の上ローラを軸架し、前記上辺フレームのスライド時に前記上ローラが前記ガイドレール内側壁と当接摺動して転動することにより前記上辺フレームの前記上縁部が前記ガイドレール内側壁に当接しないように構成したものである。
【００１６】
請求項５に係る発明は、前記ドア構造において、前記ビニールハウスの前記出入口下方に前記パイプ状レールを敷設するに際して、前記出入口の左右に立設した左右縦柱にスペーサ用取付基枠を介してブラケット板を立設した取付金具を配設し、前記ブラケット板の上部に前記パイプ状レールに囲繞装着した取付環体の合わせ片を挟着固定したものである。
【００１７】
請求項６に係る発明は、前記ドア構造において、前記取付金具の前記スペーサ用取付基枠は断面矩形または断面コ字状の一定長さに形成し、前後壁の一方または両方に締付用ボルトを挿貫するための挿貫孔を穿設したものである。
【００１８】
請求項７に係る発明は、前記ドア構造において、前記取付金具の前記スペーサ用取付基枠は複数の前記挿貫孔を穿設し、前記締付用ボルトの挿貫位置を変位することにより前記左右縦柱に取付ける前記スペーサ用取付基枠の左右位置を調節自在としたものである。
【００１９】
請求項８に係る発明は、前記ドア構造において、前記取付金具の前記ブラケット板の上部に前記合わせ片を介して前記パイプ状レールに囲繞装着する前記取付環体の取付位置は、前記ブラケット板の上部左右位置とすると共に、前記ブラケット板の前記上部左右位置に穿設した取付孔と同取付孔を挿貫して前記合わせ片と前記ブラケット板とを一体重合して固定するためのボルトとにより前記取付環体を前記ブラケット板に固定するように構成したものである。
【発明の効果】
【００２０】
請求項１記載の発明によれば、下辺フレームは、下方開口の断面略コ字状の基枠により構成し、基枠のコ字状の内外側板間にはパイプ状レールを転動可能なコロを軸架したことで、ドア本体の下端部に別途の支持枠を設けることなく下辺フレームのみでドア本体の枠体の一部を構成しつつコロを軸架できるので、当該部分にビニールハウスの内外と繋がる間隙が生じないため、温度管理されたビニールハウス内の温度環境の安定化を図ることができる。
【００２１】
また、下辺フレームの下端にコロを軸架するための別途の支持枠を設ける必要がないので、ビニールハウスの部品数を削減できコスト面で有利であると共に、ビニールハウスの組立性も向上させることができる。
【００２２】
更に、下辺フレームは、下方開口の断面略コ字状の基枠により構成すると共に、基枠にはドア本体に張設するビニールシートの取付が可能なシート装着部を設けているので、シート装着部を別途連設等する必要がなく、部品数の削減とビニールハウスの組立性の向上を図ることができる。
【００２３】
請求項２記載の発明によれば、基枠の内側板は、パイプ状レールの側方にまで延設しているので、ビニールハウス内が陽圧となってコロをパイプ状レールから持ち上げる浮揚力が発生してもコロがビニールハウスの外側に脱輪することを防止できる。
【００２４】
また、基枠の外側板の所定位置にパイプ状レールの側方にまで延設した規制板を着脱自在に付設しているので、規制板を装着せずにビニールハウス内からドア本体をガイドレールとパイプ状レール間に取付けることができ、その後、規制板を装着することで、パイプ状レールとコロ周面との当接面にドア枠外方からの外風が侵入してコロをレールから持ち上げる浮揚力が発生してもコロがビニールハウスの内側に脱輪することを防止できる。
【００２５】
また、基枠に規制板を付設する所定位置としては、左右縦フレームと基枠との連設箇所としたことで、コロのビニールハウスの内側への脱輪に対して下辺フレームの長手方向全長に渡って規制板を設ける必要がないので、部材コストを低廉に抑えることができる。
【００２６】
請求項３記載の発明によれば、シート装着部は、基枠上面に基枠に沿って立設したシート取付プレートと該取付プレートの外側面にビニールシート端縁を、別途設けた嵌め込み片を介して嵌着するために一定間隔を保持して突設した上下リブとより構成したので、上下リブの内側壁に嵌め込み片が押圧付勢してビニールシートを確実に張設できる。
【００２７】
請求項４記載の発明によれば、出入口上方に敷設したガイドレールは、下方開口の断面コ字状に形成し、コ字状の内部にドア本体の上辺フレームの上縁部をスライド自在に収納すると共に、上辺フレームの上面に直径が上辺フレームの幅員より大とした水平回動の上ローラを軸架し、上辺フレームのスライド時に上ローラがガイドレール内側壁と当接摺動して転動することにより上辺フレームの上縁部がガイドレール内側壁に当接しないように構成しているので、ドア本体の開閉時に上辺フレームがガイドレール内側壁と接触することによる異音やキズの発生を防止することでき、ドア本体を左右にスムーズにスライドさせることができる。
【００２８】
請求項５記載の発明によれば、ビニールハウスの出入口下方にパイプ状レールを敷設するに際して、出入口の左右に立設した左右縦柱にスペーサ用取付基枠を介してブラケット板を立設した取付金具を配設し、ブラケット板の上部にパイプ状レールに囲繞装着した取付環体の合わせ片を挟着固定したことで、極めて簡単な構造で複数のパイプ状レールを連接して敷設することができる。
【００２９】
請求項６記載の発明によれば、取付金具のスペーサ用取付基枠は断面矩形または断面コ字状の一定長さに形成し、前後壁の一方または両方に締付用ボルトを挿貫するための挿貫孔を穿設したので、取付金具を左右縦柱に容易に取付けることができる。
【００３０】
請求項７記載の発明によれば、取付金具のスペーサ用取付基枠は複数の前記挿貫孔を穿設したので、締付用ボルトの挿貫位置を変位することにより左右縦柱に取付けるスペーサ用取付基枠の左右位置を調節自在とすることができる。
【００３１】
請求項８記載の発明によれば、取付金具のブラケット板の上部に合わせ片を介してパイプ状レールに囲繞装着する取付環体の取付位置は、ブラケット板の上部左右位置とすると共に、ブラケット板の上部左右位置に穿設した取付孔と同取付孔を挿貫して合わせ片とブラケット板とを一体重合して固定するためのボルトとにより取付環体をブラケット板に固定するように構成したので、取付環体を左右縦柱の真後ろからずらして配設でき、ボルトの取付や締結を容易に行うことができる。
【図面の簡単な説明】
【００３２】
【図１】実施形態に係るビニールハウスの全体斜視図である。
【図２】（ａ）はビニールハウスの内側から見たドア本体の構成を示す説明図で、（ｂ）は（ａ）のＡ−Ａ線断面図である。
【図３】実施形態に係るドア本体の斜視図である。
【図４】中途部を省略した図２（ｂ）の拡大断面図である。
【図５】（ａ）は下片フレームの斜視分解図で、（ｂ）は底面図である。
【図６】ビニールハウスの外方から見た下辺フレームの端部側近傍を示した斜視図である。
【図７】ビニールハウスの外方から見た下辺フレームの端部側近傍を示した斜視図である。
【図８】実施形態に係る取付金具の斜視図である。
【図９】実施形態に係る取付金具の斜視図である。
【図１０】ビニールハウスの外方から見た上辺フレームの端部側近傍を示した斜視図である。
【図１１】ガイドレールを取付けるレールブラケットの斜視図である。
【発明を実施するための形態】
【００３３】
本発明の実施形態に係るドア構造の要旨は、ビニールハウスの出入口にドア本体を左右スライド自在に取付けたドア構造において、ビニールハウスの出入口下方にパイプ状レールを、上方にガイドレールを敷設し、パイプ状レールとガイドレールとの間に左右スライド自在にドア本体を介設し、ドア本体は上辺フレームと左右縦フレームと下辺フレームとにより矩形状に構成し、下辺フレームは、下方開口の断面略コ字状の基枠により構成すると共に、基枠にはドア本体に張設するビニールシートの取付が可能なシート装着部を設けると共に、基枠のコ字状の内外側板間にはパイプ状レール上を転動可能なコロを軸架したことを特徴とする。すなわち、ビニールハウスの出入口にドア本体を左右スライド自在に取付けたドア構造において、ビニールハウス内の温度環境の安定化を図ると共に、部品数を減らすことでコストを廉価に抑えつつ組立作業性を向上させたドア構造の提供を図ろうとするものである。
【００３４】
以下、本発明に係るドア構造の実施形態について図面を参照しながら説明する。また、本説明中において左右同一又は左右対称の構造や部品については、原則として同一の符号を付し、左右何れか一方のみを説明して、他方については説明を適宜省略する。
【００３５】
図１に本実施形態に係るビニールハウスの外観を示している。図中、符号Ｈはビニールハウスを示しており、このビニールハウスＨは、複数の骨組材ｈを所定間隔で配設してアーチ形状の骨組みを構成し、その前面側には正面枠体２を、後面側には後面枠体３を設けて前後の妻面を形成している。なお、正面枠体２には適宜縦柱４と横柱５が格子状に骨組みされている。
【００３６】
正面枠体２により形成された妻面の中央にはハウス出入口ｍが形成されており、このハウス出入口ｍに左右のドア本体Ｍａ，Ｍｂが左右引戸構造で配設され、当該ハウス出入口ｍを開閉可能としている。なお、以下の記載において、左右のドア本体Ｍａ，Ｍｂをそれぞれ特に区別する必要のない場合は、単にドア本体Ｍとして表す。
【００３７】
ハウス出入口ｍの下方にはパイプ状レール６を敷設している。すなわち、ハウス出入口ｍの左右に立設した縦柱４，４の縦柱下端部４−１間に、ドア本体Ｍａ，Ｍｂが左右スライド自在に載置されるようにパイプ状レール６を取り付けている。
【００３８】
また、ハウス出入口ｍの上方にガイドレール７を敷設している。すなわち、ドア本体Ｍａ，Ｍｂの上縁部が位置する左右の縦柱４，４間に、ドア本体Ｍａ，Ｍｂの上縁部を左右スライド自在に収納されるようにガイドレール７を取り付けている。なお、上述したパイプ状レール６とガイドレール７については後に詳述する。
【００３９】
ここで、正面枠体２に取り付けられたドア本体Ｍの構成を図２に示す。図２（ａ）は、ビニールハウスＨの内側から見たドア本体Ｍの構成を示す説明図で、図２（ｂ）は、正面枠体２および当該正面枠体２に取り付けられたドア本体ＭのＡ−Ａ断面図である。なお、図２（ｂ）においては、図面左がビニールハウスＨの内側、図面右がビニールハウスＨの外側となっている。
【００４０】
図３に示すように、ドア本体Ｍは上辺フレーム８と左右縦フレーム９，９と下辺フレーム１０とにより矩形状に構成している。また、上辺フレーム８と下辺フレーム１０との間には、２本の横桟１１，１１を左右縦フレーム９，９間に介設している。
【００４１】
また、各フレーム８，９，１０と横桟１１の各前側面には、別途設けた嵌め込み片１２を介して嵌着可能な嵌着リブ１３，１３を側壁とした嵌着溝１４を備え、ドア本体Ｍの外形よりも若干大きいビニールシートＳでドア本体Ｍの前側面を被覆しつつ嵌着溝１４にビニールシートＳを入れ込み、ビニールシートＳ上から嵌着溝１４に嵌め込み片１２を嵌着する。すなわち、嵌着リブ１３，１３の内側壁に嵌め込み片１２が押圧付勢するようにしてドア本体ＭにビニールシートＳを張設する。
【００４２】
下辺フレーム１０は下方開口の断面略コ字状の基枠Ｋ内において、下辺フレーム１０の左右端部近傍にコロ１５，１５を軸架し、該コロ１５がその下方に付設されたパイプ状レール６上を転動するように構成している。
【００４３】
また、上辺フレーム８の上面両端部近傍には水平回動自在の上ローラ１６，１６を軸架し、上辺フレーム８の上縁部を収納するガイドレール７の内側壁に上ローラ１６が当接摺動するように構成している。
【００４４】
このように構成されたドア本体Ｍとその周辺構造とによって左右スライド自在なドア構造１が構成されている。
【００４５】
以下、各部の具体的な構造についてドア構造１の下部について詳述した後、上部について詳述する。なお、ドア本体Ｍの構造は左右対称に現れるため、一方の側を示して説明し他方については適宜説明を省略する。
【００４６】
図４は、ドア本体Ｍ（中央部分を省略）の縦柱４への取り付け部分の構成を示した断面図である。なお、図面左がビニールハウスＨの内部側、図面右がビニールハウスＨの外部側となっている。また、図５（ａ）は下辺フレーム１０の分解斜視図、図５（ｂ）は下辺フレーム１０の底面図、図６はビニールハウスＨの外方から見た下辺フレーム１０の端部側とパイプ状レール６の取り付け構造を示した斜視図である。
【００４７】
ドア本体Ｍを構成する下辺フレーム１０は、図４、図５に示すように、下方開口の断面略コ字状の基枠Ｋにより構成すると共に、基枠Ｋにはドア本体Ｍに張設するビニールシートＳの取付が可能なシート装着部１７を設けると共に、基枠Ｋのコ字状の内外側板１８，１９間にはパイプ状レール６上を転動可能なコロ１５を軸架している。
【００４８】
具体的には、コ字状の基枠Ｋの内部には、鼓形状のコロ１５が先端に雄ネジ部を有する支軸２０を介してナット２１と螺着固定され回転自在に取付けられ、鼓形状のコロ１５は括れ部分がパイプ状レール６の上半部円弧状面に合致して該パイプ状レール６上を転動自在としている。また、コロ１５は基枠Ｋに対して２箇所配設しており、その位置は基枠Ｋの長手方向両端部よりも若干だけ内側としている。
【００４９】
また、基枠Ｋの内側板１８は、パイプ状レール６の側方にまで延設している。すなわち、内側板１８は、パイプ状レール６の下半部円弧状部分まで垂下延設され、パイプ状レール６とコロ１５との当接部分を内方から覆い、ドア本体Ｍが外側に脱落すること、及び外方からの外風をできるだけ遮断する機能を果すように構成している。
【００５０】
よって、コロ１５がパイプ状レール６に載置された状態において、内側板１８側（ハウス内側）からパイプ状レール６を見た場合、当該パイプ状レール６の少なくとも上側半分強は内側板１８で覆われた状態となっている。ここでは、内側板１８はパイプ状レール６の下半部円弧状部分に達する位置まで垂下延設している。
【００５１】
シート装着部１７は、基枠Ｋ上面に基枠Ｋに沿って立設したシート取付プレート２２と該取付プレート２２の外側面にビニールシート端縁を、別途設けた嵌め込み片１２（図３参照）を介して嵌着するために一定間隔を保持して突設した上下リブ１３ａ，１３ａとより構成している。
【００５２】
また、図７に示すように基枠Ｋ上面の両端部には縦フレーム９を立設するため、図５、図６に示すように当該部分にはシート取付プレート２２を形成していない。すなわち、基枠Ｋと縦フレーム９との連接部分は基枠Ｋ上面の両端部となる。
【００５３】
また、図３、図４、図７に示すように、基枠Ｋの外側板１９の所定箇所にはパイプ状レール６の側方にまで延設した規制板２３を着脱自在に付設している。規制板２３は矩形板状に形成し、長手方向を上下として上部の短辺側中央部を略直角に折曲して回動防止片２４を形成すると共に、平板面の略中央には固定ボルト２５を挿通するためのボルト挿通孔（図示せず）を穿設している。回動防止片２４の幅員は縦フレーム９に形成された嵌着溝１４の開口幅員よりも若干狭く形成している。
【００５４】
このように形成した規制板２３は、左右縦フレーム９，９と基枠Ｋとの連設箇所に付設される。具体的には、縦フレーム９の嵌着溝１４に回動防止片２４を挿入係合しつつ、基枠Ｋの外側板１９に形成された雌ネジ孔２６と規制板２３のボルト挿通孔とが連通連接するように、外側板１９の側面と規制板２３の側面とを当接させ、固定ボルト２５によって螺着固定している。
【００５５】
このように、下辺フレーム１０は、下方開口の断面略コ字状の基枠Ｋにより構成し、基枠Ｋのコ字状の内外側板１８，１９間にはパイプ状レール６を転動可能なコロ１５を軸架したことで、ドア本体Ｍの下端部に別途の支持枠を設けることなく下辺フレーム１０のみでドア本体Ｍの枠体の一部を構成しつつコロ１５を軸架できるので、当該部分にビニールハウスＨの内外と繋がる間隙が生じないため、温度管理されたビニールハウスＨ内の温度環境の安定化を図ることができる。
【００５６】
また、下辺フレーム１０の下端にコロ１５を軸架するための別途の支持枠を設ける必要がないので、ビニールハウスＨの部品数を削減できコスト面で有利であると共に、ビニールハウスＨの組立性も向上させることができる。
【００５７】
また、下辺フレーム１０は、下方開口の断面略コ字状の基枠Ｋにより構成すると共に、基枠Ｋにはドア本体Ｍに張設するビニールシートＳの取付が可能なシート装着部１７を設けているので、シート装着部１７を別途連設等する必要がなく、部品数の削減とビニールハウスＨの組立性の向上を図ることができる。
【００５８】
更に、シート装着部１７は、基枠Ｋ上面に基枠Ｋに沿って立設したシート取付プレート２２と該取付プレート２２の外側面にビニールシートＳ端縁を、別途設けた嵌め込み片１２を介して嵌着するために一定間隔を保持して突設した上下リブ１３ａ，１３ａとより構成したので、上下リブ１３ａ，１３ａの内側壁に嵌め込み片１２が押圧付勢してビニールシートＳを確実に張設できる。
【００５９】
また、基枠Ｋの内側板１８は、パイプ状レール６の側方にまで延設しているので、ビニールハウスＨ内が陽圧となってコロ１５をパイプ状レール６から持ち上げる浮揚力が発生してもコロ１５がビニールハウスＨの外側に脱輪することを防止できる。
【００６０】
また、基枠Ｋの外側板１９の所定位置にパイプ状レール６の側方にまで延設した規制板２３を着脱自在に付設しているので、規制板２３を装着せずにビニールハウスＨ内からドア本体Ｍをガイドレール７とパイプ状レール６間に取付けることができ、その後、規制板２３を装着することで、パイプ状レール６とコロ１５周面との当接面に外方からの外風が侵入してコロ１５をパイプ状レール６から持ち上げる浮揚力が発生してもコロ１５が内側に脱輪することを防止できる。
【００６１】
また、基枠Ｋに規制板２３を付設する所定位置としては、左右縦フレーム４，４と基枠Ｋとの連設箇所としたことで、コロ１５のビニールハウスＨの内側への脱輪に対して下辺フレーム１０の長手方向全長に渡って規制板２３を設ける必要がないので、部材コストを低廉に抑えることができる。
【００６２】
更に、規制板２３に形成した回動防止片２４の幅員は、縦フレーム９の嵌着溝１４の開口幅員と略同幅員に形成し、嵌着溝１４の内部に挿入係合しているので、規制板２３を回動しようとする何らかの外力が規制板２３に加わっても、回動防止片２４と嵌着溝１４との係合により規制板２３の意図しない回動を防止することができる。また、規制板２３を基枠Ｋに固定する固定ボルト２５の締付が緩んだ場合でも、同様に規制板２３の回動を防止できる。
【００６３】
本実施形態に係るパイプ状レール６は、例えば、既存の円筒形状の鋼管、特に機械構造用炭素鋼管が用いられるが、塩ビパイプなどで形成することもでき、図２（ａ）に示すように、ハウス出入口ｍに敷設する出入口用レール６ａと、その左右に端部同士を突き合わせた状態で連接した固定レール６ｂとから構成している。
【００６４】
ビニールハウスＨの出入口ｍ下方にパイプ状レール６ａを敷設するに際しては、図４、図６、図７に示すように、ハウス出入口ｍの左右に立設した左右縦柱４，４にスペーサ用取付基枠２８を介してブラケット板２９を立設した取付金具２７を用いている。そして、ブラケット板２９の上部にパイプ状レール６に囲繞装着した取付環体５０の合わせ片５１，５１を挟着固定している。なお、合わせ片５１，５１には各々環体取付ボルト５２用挿貫孔（図示せず）を穿設している。
【００６５】
取付金具２７のスペーサ用取付基枠２８は、図８（ａ）に示すように、断面矩形の一定長さに形成し、前後壁３０，３１の両方に締付用ボルト３２として角部を有する締付用Ｕボルト３２ａを挿貫するための挿貫孔３４を各２箇所穿設している。なお、挿貫孔３４は締付用ボルト３２を挿貫し易くするため、及び締付用ボルト３２の精度誤差を吸収するために、横長の長孔とすることが望ましい。
【００６６】
また、取付金具２７は、図８（ｂ）に示すように挿貫孔３４を前後壁３０，３１に３箇所以上複数設けた取付金具２７ａとすれば、締付用Ｕボルト３２ａの挿貫位置を変位することにより左右縦柱４，４に取付けるスペーサ用取付基枠２８の左右位置を調節自在とすることができる。また、挿貫孔３４は、図８（ｃ）に示すように前後壁３０，３１に各１箇所とした取付金具２７ｂであってもよい。この場合、取付金具２７と縦柱４との接続は、締付用Ｕボルト３２ａではなく一本の挿貫ボルト（図示せず）を用いて縦柱４に別途設けた貫通孔（図示せず）に挿貫して固定する。
【００６７】
また、ブラケット板２９は、スペーサ用取付基枠２８の後壁３１を上方に延設して矩形板状に形成している。ブラケット板２９の上部に合わせ片５１，５１を介してパイプ状レール６に囲繞装着する取付環体５０の取付位置は、ブラケット板２９の上部左右位置とすると共に、ブラケット板２９の上部左右位置に穿設した取付孔３５と同取付孔３５と合わせ片５１，５１の環体取付ボルト５２用挿貫孔（図示せず）とを連通連設させ挿貫して合わせ片５１，５１とブラケット板２９とを一体重合して固定するための環体取付ボルト５２と蝶頭ナット５３とにより取付環体５０をブラケット板２９に固定するように構成している。
【００６８】
なお、取付金具２７は図９に示すように、矩形板状の下部を前方に略直角に折曲してスペーサ下片３６を形成し、且つ上部の中央部をスペーサ下片３６と同長さだけ前方に折曲してスペーサ上片３７を形成してもよい。すなわち、取付金具２７ｃのスペーサ上下片３６，３７と後壁３１とで形成された断面コ字状部分はスペーサ用取付基枠２８に相当する。
【００６９】
取付金具２７ｃをこのように形成することで、スペーサ上下片３６，３７の前端部を縦柱４に当接でき、しかも折曲していない上部の左右片３８，３８をブラケット板２９として用いることができる。よって、後壁３１に挿貫孔３４を穿設し、左右片３８，３８に取付孔３５，３５を穿設することで上述した取付金具２７，２７ａ，２７ｂと同様の機能と効果を果す。
【００７０】
また、取付金具２７，２７ａ，２７ｂ，２７ｃは、図８（ａ）、図９に示すように、縦柱４の形状がパイプ状や角パイプ状の何れであっても、使用する締付用Ｕボルト３２ａ，３２ｂの形状を変えるだけで同様に対応できる。
【００７１】
次に、取付金具２７のスペーサ用取付基枠２８を縦柱４に固定するに際しては、図８（ａ）に示すように、締付用Ｕボルト３２ａの雄ネジ部３９，３９がビニールハウスＨの内方に向くようにビニールハウスＨの外方から縦柱４周面に当接させる。そして、ブラケット板２９が縦柱４と乖離するようにスペーサ用取付基枠２８の前壁３０を縦柱４の裏面側に当接しつつ挿貫孔３４，３４に雄ネジ部３９，３９側を挿貫し蝶頭ナット４０，４０で螺着する。
【００７２】
このように、スペーサ用取付基枠２８を縦柱４に固定するに際して、ブラケット板２９が縦柱４と乖離するように固定することで、図４、図６に示すように縦柱４の裏面側とブラケット板２９との間に一定のスペースＷを得ることができる。
【００７３】
また、ブラケット板２９への取付環体５０の取付に際しては、図４、図６に示すように、ブラケット板２９の上部左右位置に穿設した取付孔３５，３５のいずれかの位置に、合わせ片５１，５１とブラケット板２９とを一体重合し、環体取付ボルト５２をスペースＷ側（縦柱側）から挿貫して蝶頭ナット５３により仮固定する。なお、ブラケット板２９の２つの取付孔３５，３５は縦柱４や他の部材との干渉等でビニールハウスＨの組立作業時に有利となるか、組立完成後に邪魔とならないよう、使用する取付孔３５を適宜選択して用いることができる。
【００７４】
また、取付環体５０へのパイプ状レール６の取付に際しては、図６に示すように、取付環体５０内の約半分の領域に一方のパイプ状レール６ｂの端部を挿入し、他方のパイプ状レール６ａの端面が一方のパイプ状レール６ｂの端面と当接するように取付環体５０内に挿入する。その後、環体取付ボルト５２に螺着した蝶頭ナット５３を締結することで、ブラケット板２９の上方にパイプ状レール６を敷設することができる。
【００７５】
このように、ビニールハウスＨのハウス出入口ｍ下方にパイプ状レール６を敷設するに際して、ハウス出入口ｍの左右に立設した左右縦柱４，４にスペーサ用取付基枠２８を介してブラケット板２９を立設し、ブラケット板２９の上部にパイプ状レール６に囲繞装着した取付環体５０の合わせ片５１を挟着固定したことで、極めて簡単な構造で複数のパイプ状レール６を連接して敷設することができる。
【００７６】
また、スペーサ用取付基枠２８は断面矩形または断面コ字状の一定長さに形成し、前後壁３０，３１の一方または両方に締付用ボルト３２を挿貫するための挿貫孔３４を穿設したので、取付金具２７を左右縦柱４，４に容易に取付けることができる。
【００７７】
また、スペーサ用取付基枠２８は複数の挿貫孔３４を穿設したので、締付用ボルト３２の挿貫位置を変位することにより左右縦柱４，４に取付けるスペーサ用取付基枠２８の左右位置を調節自在とすることができる。
【００７８】
また、ブラケット板２９の上部に合わせ片５１を介してパイプ状レール６に囲繞装着する取付環体５０の取付位置は、ブラケット板２９の上部左右位置とすると共に、ブラケット板２９の上部左右位置に穿設した取付孔３５と同取付孔３５を挿貫して合わせ片５１とブラケット板２９とを一体重合して固定するための環体取付ボルト５２とにより取付環体５０をブラケット板２９に固定するように構成したので、取付環体５０を左右縦柱４，４の真後ろからずらして配設でき、環体取付ボルト５２の挿貫や蝶頭ナット５３の締結を容易に行うことができる。
【００７９】
次に、ドア構造１の上部について詳述する。なお、ドア本体Ｍの構造は左右対称に現れるため、一方の側を示して説明し他方については適宜説明を省略する。
【００８０】
ハウス出入口ｍの上方には図２（ａ）、（ｂ）、図３に示すようにガイドレール７を敷設している。すなわち、ドア本体Ｍａ，Ｍｂの上縁部が位置する左右縦柱４，４間に、ドア本体Ｍａ，Ｍｂの上縁部を左右スライド自在に収納されるようにガイドレール７を取り付けている。
【００８１】
ガイドレール７は下方開口の断面コ字状に形成され、ハウス出入口ｍの下部に敷設したパイプ状レール６と対向するように配設されている。このガイドレール７は、パイプ状レール６と略同一長さとしており、レールブラケット６０を介して正面枠体２の縦柱４に取付けられている。
【００８２】
レールブラケット６０は図４、図１０、図１１に示すように、断面略台形状に形成した固定用基枠６１と固定用基枠６１から垂設したレール当接片６２とで構成している。具体的に固定用基枠６１は、互いに平行な上底片６３と下底片６４を左右方向としたときに下方に位置する下脚片６５は上下底片６３，６４と直角をなし、上脚片６６は上底片６３に向けて下方へ緩やかに傾斜している。
【００８３】
また、上下底片６３，６４にはブラケット締結用Ｕボルト６７を挿貫するためのＵボルト挿貫孔６８を穿設している。このように形成することで、下底片６４を縦柱４の裏面と当接してビニールハウスＨ外方からブラケット締結用Ｕボルト６７と蝶頭ナット６９で固定用基枠６１を螺着固定する。
【００８４】
レール当接片６２は固定用基枠６１の上底片６３を下方に延設すると共に、下端縁を内側に折曲して係止片７０を形成している。すなわち、レール当接片６２と下脚片６５とは直角をなしている。
【００８５】
このように形成したレールブラケット６０は、固定用基枠６１の下脚片６５とレール当接片６２と縦柱４の裏面とで形成する空間にガイドレール７の一部が固定される。
【００８６】
また、レールブラケット６０を介して縦柱４に固定されたガイドレール７のコ字状の内部にドア本体Ｍの上辺フレーム８の上縁部をスライド自在に収納すると共に、上辺フレーム８の上面に直径Ｄが上辺フレーム８の幅員ｗより大とした水平回動の上ローラ４１を軸架し、上辺フレーム８のスライド時に上ローラ４１がガイドレール内側壁と当接摺動して転動することにより上辺フレーム８の上縁部がガイドレール内側壁に当接しないように構成している。
【００８７】
具体的には、図３、図４に示すように上辺フレーム８の上面の両端部近傍に軸孔（図示せず）を穿設し、軸孔には軸線を鉛直方向とした軸ボルト４２をボルト頭部が上側となるようにして挿貫し、上下方から上下取付ナット４３，４４で固定している。また、軸ボルト４２の頭部側には雄ネジを形成しないネジ無し部４５を形成しており、上取付ナット４３の上方にネジ無し部４５が位置する。
【００８８】
上ローラ４１は平面視円形で断面視で上方開口のコ字状に形成し、中央部には軸挿通孔４６を穿設している。また、軸挿通孔４６の内径は軸ボルト４２の頭部側のネジ無し部４５の直径よりも広く形成している。更に、ネジ無し部４５の有効長さは軸挿通孔４６の深さよりも長く形成しているので、上ローラ４１は軸ボルト４２周りに水平回動自在となる。
【００８９】
このように、ハウス出入口ｍ上方に敷設したガイドレール７は、下方開口の断面コ字状に形成し、コ字状の内部にドア本体Ｍの上辺フレーム８の上縁部をスライド自在に収納すると共に、上辺フレーム８の上面に直径Ｄが上辺フレーム８の幅員ｗより大とした水平回動の上ローラ４１を軸架し、上辺フレーム８のスライド時に上ローラ４１がガイドレール７内側壁と当接摺動して転動することにより上辺フレーム８の上縁部がガイドレール７内側壁に当接しないように構成しているので、ドア本体Ｍの開閉時に上辺フレーム８がガイドレール７内側壁と接触することによる異音やキズの発生を防止することができ、ドア本体Ｍを左右にスムーズにスライドさせることができる。
【００９０】
以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【００９１】
Ｄ  直径
Ｈ  ビニールハウス
Ｋ  基枠
Ｍ  ドア本体
ｍ  ハウス出入口
Ｓ  ビニールシート
ｗ  幅員
１  ドア構造
４  左・右縦柱
６  パイプ状レール
７  ガイドレール
８  上辺フレーム
９  縦フレーム
１０  下辺フレーム
１２  嵌め込み片
１３ａ  上・下リブ
１５  コロ
１７  シート装着部
１８  内側板
１９  外側板
２２  シート取付プレート
２３  規制板
２７  取付金具
２８  スペーサ用取付基枠
２９  ブラケット板
３０  前壁
３１  後壁
３２  締付用ボルト
３４  挿貫孔
３５  取付孔
４１  上ローラ
５０  取付環体
５１  合わせ片
５２  ボルト（環体取付ボルト）
【図１】
0006333652.tif 000002
【図２】
0006333652.tif 000003
【図３】
0006333652.tif 000004
【図４】
0006333652.tif 000005
【図５】
0006333652.tif 000006
【図６】
0006333652.tif 000007
【図７】
0006333652.tif 000008
【図８】
0006333652.tif 000009
【図９】
0006333652.tif 000010
【図１０】
0006333652.tif 000011
【図１１】
0006333652.tif 000012